(57)【特許請求の範囲】
【請求項１】
第１移動局及び第２移動局と無線基地局との間の無線基地局インタフェースと、該第１移動局と該第２移動局との間の移動局間インタフェースとが規定されている移動通信システムであって、
第１周波数において、前記無線基地局インタフェースを介した前記無線基地局から前記第１移動局及び前記第２移動局へのデータ信号の送信と、前記移動局間インタフェースを介した前記第１移動局と前記第２移動局との間のデータ信号の送受信が時分割で行われるように構成されており、
第２周波数において、前記無線基地局インタフェースを介した前記第１移動局及び前記第２移動局から前記無線基地局へのデータ信号の送信が行われるように構成されており、
前記移動局間インタフェースを介した前記第１移動局及び前記第２移動局によってデータ信号の送信が行われるタイミングの前後に所定ギャップが設けられるように構成されており、
前記所定ギャップの時間長は、前記無線基地局から前記第１移動局及び前記第２移動局に対して通知されることを特徴とする移動通信システム。
【請求項２】
前記所定ギャップの時間長、或いは、該所定ギャップを除いたサブフレームの時間長は、シンボル単位で規定されていることを特徴とする請求項１に記載の移動通信システム。
【発明の詳細な説明】
【技術分野】
【０００１】
本発明は、移動通信システムに関する。
【背景技術】
【０００２】
図６に、従来のＬＴＥ（Ｌｏｎｇ  Ｔｅｒｍ  Ｅｖｏｌｕｔｉｏｎ）方式におけるＴＡ（Ｔｉｍｉｎｇ  Ａｄｖａｎｃｅ）制御の様子について示す。
【０００３】
図６に示すように、ＴＡ制御では、無線基地局ｅＮＢが、移動局ＵＥ＃１及び移動局ＵＥ＃２によって送信される上りリンク信号が直交するように、上りリンク信号の受信タイミング（「Ｕｕ  ＵＬ」）を揃えるべく、移動局ＵＥ＃１及び移動局ＵＥ＃２に対して「ＴＡ  ｃｏｍｍａｎｄ（ＴＡ１及びＴＡ２）」を送信するように構成されている。
【０００４】
移動局ＵＥ＃１及び移動局ＵＥ＃２は、無線基地局ｅＮＢから受信した「ＴＡ  ｃｏｍｍａｎｄ（ＴＡ１及びＴＡ２）」に基づいて、上りリンク信号の送信タイミング（「Ｕｕ  ＵＬ」）を調整するように構成されている。
【０００５】
このように、ＴＡ制御を適用することで、上りリンク信号の伝搬遅延を補正することができる。
【先行技術文献】
【非特許文献】
【０００６】
【非特許文献１】３ＧＰＰ  ＴＳ３６.３２３
【発明の概要】
【発明が解決しようとする課題】
【０００７】
ここで、従来のＬＴＥ方式の移動通信システムでは、複数の移動局ＵＥが、同一セル（或いは、無線基地局ｅＮＢ配下のセル）内に位置している場合であっても、データ信号及び制御信号の両方が、無線基地局ｅＮＢを介して送受信されるように構成されているため、無線基地局ｅＮＢの処理負荷が増大してしまうという問題点があった。
【０００８】
かかる問題点を解決するために、複数の移動局ＵＥが、無線基地局ｅＮＢとの間で設定されているＵｕインタフェースにおける無線リンクを介することなく、移動局間インタフェース（以下、Ｕｄインタフェース）における無線リンクを介して、データ信号の送受信を行うことを想定することができる。
【０００９】
かかる移動局ＵＥ＃１と移動局ＵＥ＃２との間の直接通信（すなわち、Ｕｄ通信やＤ２Ｄ通信）を考えた場合、Ｕｄインタフェースを介した送信タイミングの調整は、移動局ＵＥ＃１と移動局ＵＥ＃２との間の距離が問題となる。
【００１０】
例えば、図７（ａ）に示すように、移動局ＵＥ＃１と無線基地局ｅＮＢとの間の距離（伝搬遅延Ｔ１）及び移動局ＵＥ＃２と無線基地局ｅＮＢとの間の距離（伝搬遅延Ｔ２）が変わらなくても、移動局ＵＥ＃１や移動局ＵＥ＃２が、円弧上を移動すれば、移動局ＵＥ＃１と移動局ＵＥ＃２との間の距離（伝搬遅延ＴＸ）は変わってくる。
【００１１】
また、実際には、各移動局ＵＥ＃１及び移動局ＵＥ＃２の軌跡は、複雑であり、図７（ｂ）に例示するように、移動局ＵＥ＃１と無線基地局ｅＮＢとの間の距離（伝搬遅延Ｔ１）及び移動局ＵＥ＃２と無線基地局ｅＮＢとの間の距離（伝搬遅延Ｔ２）と同時に、移動局ＵＥ＃１と移動局ＵＥ＃２との間の距離（伝搬遅延ＴＸ）も変わってくると考えられる。
【００１２】
そこで、本発明は、上述の課題に鑑みてなされたものであり、移動局ＵＥ＃１と移動局ＵＥ＃２との間の直接通信において、信号間の直交性を維持することができる移動通信システムを提供することを目的とする。
【課題を解決するための手段】
【００１３】
本発明の第１の特徴は、第１移動局及び第２移動局と無線基地局との間の無線基地局インタフェースと、該第１移動局と該第２移動局との間の移動局間インタフェースとが規定されている移動通信システムであって、第１周波数において、前記無線基地局インタフェースを介した前記無線基地局から前記第１移動局及び前記第２移動局へのデータ信号の送信が行われるように構成されており、第２周波数において、前記無線基地局インタフェースを介した前記第１移動局及び前記第２移動局から前記無線基地局へのデータ信号の送信と、前記移動局間インタフェースを介した前記第１移動局と前記第２移動局との間のデータ信号の送受信が時分割で行われるように構成されており、前記移動局間インタフェースを介した前記第１移動局及び前記第２移動局によってデータ信号の送信が行われるタイミングの前後に所定ギャップが設けられるように構成されていることを要旨とする。
【００１４】
本発明の第２の特徴は、第１移動局及び第２移動局と無線基地局との間の無線基地局インタフェースと、該第１移動局と該第２移動局との間の移動局間インタフェースとが規定されている移動通信システムであって、第１周波数において、前記無線基地局インタフェースを介した前記無線基地局から前記第１移動局及び前記第２移動局へのデータ信号の送信と、前記移動局間インタフェースを介した前記第１移動局と前記第２移動局との間のデータ信号の送受信が時分割で行われるように構成されており、第２周波数において、前記無線基地局インタフェースを介した前記第１移動局及び前記第２移動局から前記無線基地局へのデータ信号の送信が行われるように構成されており、前記移動局間インタフェースを介した前記第１移動局及び前記第２移動局によってデータ信号の送信が行われるタイミングの前後に所定ギャップが設けられるように構成されていることを要旨とする。
【００１５】
本発明の第３の特徴は、第１移動局及び第２移動局と無線基地局との間の無線基地局インタフェースと、該第１移動局と該第２移動局との間の移動局間インタフェースとが規定されている移動通信システムであって、第１周波数において、前記無線基地局インタフェースを介した前記無線基地局から前記第１移動局及び前記第２移動局へのデータ信号の送信が行われるように構成されており、第２周波数において、前記無線基地局インタフェースを介した前記第１移動局及び前記第２移動局から前記無線基地局へのデータ信号の送信が行われるように構成されており、第３周波数において、前記移動局間インタフェースを介した前記第１移動局と前記第２移動局との間のデータ信号の送受信が時分割で行われるように構成されており、前記移動局間インタフェースを介した前記第１移動局及び前記第２移動局によってデータ信号の送信が行われるタイミングの前後に所定ギャップが設けられるように構成されていることを要旨とする。
【発明の効果】
【００１６】
以上説明したように、本発明によれば、移動局ＵＥ＃１と移動局ＵＥ＃２との間の直接通信において、信号間の直交性を維持することができる移動通信システムを提供することができる。
【図面の簡単な説明】
【００１７】
【図１】本発明の第１の実施形態に係る移動通信システムの全体構成図である。
【図２】本発明の第１の実施形態に係る無線基地局の機能ブロック図である。
【図３】本発明の第１の実施形態に係る移動通信システムにおける送受信タイミングを示す図である。
【図４】本発明の第１の実施形態に係る移動通信システムにおける送受信タイミングを示す図である。
【図５】本発明の第１の実施形態に係る移動通信システムにおける送受信タイミングを示す図である。
【図６】従来の移動通信システムについて説明するための図である。
【図７】従来の移動通信システムについて説明するための図である。
【発明を実施するための形態】
【００１８】
（本発明の第１の実施形態に係る移動通信システム）
図１乃至図５を参照して、本発明の第１の実施形態に係る移動通信システムについて説明する。
【００１９】
本実施形態に係る移動通信システムは、ＬＴＥ方式の移動通信システムであって、図１に示すように、コアネットワークと、コアネットワーク装置に接続されている無線基地局ｅＮＢとを具備している。なお、本発明は、ＬＴＥ方式以外のセルラー方式の移動通信システムにも適用可能である。
【００２０】
本実施形態に係る移動通信システムでは、移動局ＵＥ＃１及び移動局ＵＥ＃２と無線基地局ｅＮＢとの間のＵｕインタフェースと、移動局ＵＥ＃１と移動局ＵＥ＃２との間のＵｄインタフェースとが規定されている。
【００２１】
移動局ＵＥ＃１は、移動局ＵＥ＃２との間で、Ｕｕインタフェースを介することなく、Ｕｄインタフェースを介して、データ信号を送受信することができるように構成されている。
【００２２】
また、移動局ＵＥ＃１は、無線基地局ｅＮＢとの間で、Ｕｕインタフェースを介して、データ信号及び制御信号を送受信することができるように構成されている。
【００２３】
同様に、移動局ＵＥ＃２は、移動局ＵＥ＃１との間で、Ｕｕインタフェースを介することなく、Ｕｄインタフェースを介して、データ信号を送受信することができるように構成されている。
【００２４】
また、移動局ＵＥ＃２は、無線基地局ｅＮＢとの間で、Ｕｕインタフェースを介して、データ信号及び制御信号を送受信することができるように構成されている。
【００２５】
図２に示すように、無線基地局ｅＮＢは、スケジューリング部１１と、送信部１２と、受信部１３とを具備している。
【００２６】
スケジューリング部１１は、移動局ＵＥ＃１及び移動局ＵＥ＃２に対して、Ｕｕインタフェース（ＰＵＳＣＨ/ＰＤＳＣＨ）を介した送信機会「Ｕｕ  ＵＬ」及び「Ｕｕ  ＤＬ」や、Ｕｄインタフェースを介した送信機会「Ｕｄ  Ｔｘ」及び「Ｕｄ  Ｒｘ」を割り当てるように構成されている。
【００２７】
送信部１２は、移動局ＵＥ＃１及び移動局ＵＥ＃２に対して、Ｕｕインタフェースを介して、ＰＤＣＣＨを用いて、Ｕｕインタフェースを介した送信機会やＵｄインタフェースを介した送信機会を通知するように構成されている。
【００２８】
また、送信部１２は、移動局ＵＥ＃１及び移動局ＵＥ＃２に対して、Ｕｕインタフェースを介して、ＰＤＳＣＨを用いて、データ信号（トランスポートブロック）を送信するように構成されている。
【００２９】
受信部１３は、移動局ＵＥ＃１及び移動局ＵＥ＃２から、Ｕｕインタフェースを介して、ＰＵＳＣＨを用いて、データ信号（トランスポートブロック）を受信するように構成されている。
【００３０】
なお、本実施形に係る移動通信システムにおいて、Ｕｕインタフェースにおける送受信で用いられる周波数及びＵｄインタフェースにおける送受信で用いられる周波数の組み合わせによって、以下の３つのケースを想定する。
【００３１】
＜ケース１＞
第１に、図３を参照して、Ｕｄインタフェースにおける送受信で用いられる周波数及びＵｕインタフェースにおける上りリンクの送受信で用いられる周波数が同じケース１について説明する。
【００３２】
図３に示すように、ケース１では、周波数Ｆ２において、Ｕｄインタフェースにおける送受信及びＵｕインタフェースにおける上りリンクの送受信が時分割で行われるように構成されている。
【００３３】
また、図３に示すように、ケース１では、周波数Ｆ１において、Ｕｕインタフェースにおける下りリンクの送受信が行われるように構成されている。
【００３４】
なお、ケース１では、移動局ＵＥ＃１及び移動局ＵＥ＃２は、周波数Ｆ２において、Ｕｕ/Ｕｄインタフェースを介した送信を行う場合とＵｄインタフェースを介した受信を行う場合とで、内部回路を切り替える必要があり、かかる内部回路の切り替えを行うための時間が必要となる。
【００３５】
したがって、移動局ＵＥ＃１及び移動局ＵＥ＃２は、各サブフレームにおいて、かかる切替時間を除いた残りの時間内で、Ｕｄインタフェースを介した受信を行う必要がある。
【００３６】
すなわち、移動局ＵＥ＃１（或いは、移動局ＵＥ＃２）は、移動局ＵＥ＃１と移動局ＵＥ＃２との間の伝搬遅延ＴＸを考慮した上で、移動局ＵＥ＃２（或いは、移動局ＵＥ＃１）の受信ウィンドウ「Ｕｄ  Ｒｘ」内に届くように、Ｕｄインタフェースを介してデータ信号を送信する必要がある。
【００３７】
したがって、例えば、図３に示すように、移動局ＵＥ＃１から移動局ＵＥ＃２にデータ信号が送信される場合、周波数Ｆ２上で、移動局ＵＥ＃１がＵｄインタフェースを介して移動局ＵＥ＃２に対してデータ信号の送信が行われるサブフレーム＃２において、上述の切替時間や信号の直交性維持に要する時間を考慮して、かかるデータ信号の送信が行われるタイミング「Ｕｄ  Ｔｘ」の前後に、所定ギャップＴ１ａ及びＴ１ｂが設けられるように構成されている。
【００３８】
同様に、移動局ＵＥ＃２から移動局ＵＥ＃１にデータ信号が送信される場合、周波数Ｆ２上で、移動局ＵＥ＃２がＵｄインタフェースを介して移動局ＵＥ＃１に対してデータ信号の送信が行われるサブフレーム＃４において、上述の切替時間や信号の直交性維持に要する時間を考慮して、かかるデータ信号の送信が行われるタイミング「Ｕｄ  Ｔｘ」の前後に、所定ギャップＴ２ａ及びＴ２ｂが設けられるように構成されている。
【００３９】
すなわち、周波数Ｆ２上で、移動局ＵＥ＃１がＵｄインタフェースを介して移動局ＵＥ＃２に対してデータ信号の送信が行われるサブフレーム＃２や、移動局ＵＥ＃２がＵｄインタフェースを介して移動局ＵＥ＃１に対してデータ信号の送信が行われるサブフレーム＃４において、かかるデータ信号の送信が行われる時間を通常のサブフレームの時間長よりも短くするように構成されている。
【００４０】
例えば、かかるサブフレーム＃２/＃４において、ＯＦＤＭシンボル数を減らすことによって、かかるデータ信号の送信が行われる時間を通常のサブフレームの時間長よりも短くするように構成されている。
【００４１】
すなわち、通常のサブフレームにおけるＯＦＤＭシンボル数が「１４」であるところ、かかるサブフレーム＃２/＃４では、ＯＦＤＭシンボル数を「１３」や「１２」等に減らすように構成されていてもよい。
【００４２】
なお、かかる所定ギャップの１つ又は複数は、図３に示すＴ２ａのように「０」であってもよい。
【００４３】
ここで、所定ギャップの時間長、或いは、該所定ギャップを除いたサブフレームの時間長は、シンボル単位で規定されていてもよい。
【００４４】
また、所定ギャップの時間長（例えば、シンボル数）は、無線基地局ｅＮＢから移動局ＵＥ＃１及び移動局ＵＥ＃２に対して通知されてもよい。例えば、かかる所定ギャップの時間長は、ＲＲＣシグナリングで通知されてもよい。
【００４５】
ここで、かかる受信ウィンドウ「Ｕｄ  Ｒｘ」は、伝搬遅延Ｔ１/Ｔ２（又は、ＴＡ１及びＴＡ２の大きさ）にも依存して変化する。したがって、Ｕｄインタフェースにおける送信タイミング「Ｕｄ  Ｔｘ」は、Ｔ１/Ｔ２/ＴＸの全てに依存することになる。
【００４６】
なお、ＴＡ１及びＴＡ２は、無線基地局ｅＮＢに既知であるが、ＴＸは、無線基地局ｅＮＢでは不明である。また、上述の通り、ＴＡ１やＴＡ２が不変であっても、ＴＸが変わっている場合もある。
【００４７】
なお、ケース１では、移動局ＵＥによってＵｄインタフェースを介して送信された信号が無線基地局ｅＮＢに（干渉として）届くタイミングが、「Ｕｕ  ＵＬ」のタイミングと揃うため、周波数Ｆ１上の直交性を保つことができる。
【００４８】
＜ケース２＞
第２に、図４を参照して、Ｕｄインタフェースにおける送受信で用いられる周波数及びＵｕインタフェースにおける下りリンクの送受信で用いられる周波数が同じケース２について説明する。
【００４９】
図４に示すように、ケース２では、周波数Ｆ１において、Ｕｄインタフェースにおける送受信及びＵｕインタフェースにおける下りリンクの送受信が時分割で行われるように構成されている。
【００５０】
また、図４に示すように、ケース２では、周波数Ｆ２において、Ｕｕインタフェースにおける上りリンクの送受信が行われるように構成されている。
【００５１】
なお、ケース２では、移動局ＵＥ＃１及び移動局ＵＥ＃２は、周波数Ｆ１において、Ｕｄインタフェースを介した送信を行う場合とＵｕ/Ｕｄインタフェースを介した受信を行う場合とで、内部回路を切り替える必要があり、かかる内部回路の切り替えを行うための時間が必要となる。
【００５２】
したがって、例えば、図４に示すように、移動局ＵＥ＃１から移動局ＵＥ＃２にデータ信号が送信される場合、周波数Ｆ１上で、移動局ＵＥ＃１がＵｄインタフェースを介して移動局ＵＥ＃２に対してデータ信号の送信が行われるサブフレーム＃２において、かかるデータ信号の送信が行われるタイミング「Ｕｄ  Ｔｘ」の前後に、所定ギャップＴ１ａ及びＴ１ｂが設けられるように構成されている。
【００５３】
同様に、移動局ＵＥ＃２から移動局ＵＥ＃１にデータ信号が送信される場合、周波数Ｆ１上で、移動局ＵＥ＃２がＵｄインタフェースを介して移動局ＵＥ＃１に対してデータ信号の送信が行われるサブフレーム＃４において、かかるデータ信号の送信が行われるタイミング「Ｕｄ  Ｔｘ」の前後に、所定ギャップＴ２ａ及びＴ２ｂが設けられるように構成されている。
【００５４】
なお、かかる所定ギャップの１つ又は複数は、図４に示すＴ１ａ/Ｔ２ａ/Ｔ２ｂのように「０」であってもよい。
【００５５】
したがって、ケース２でも、ケース１と同様に、移動局ＵＥ＃１（又は、移動局ＵＥ＃２）は、移動局ＵＥ＃２（又は、移動局ＵＥ＃１）の受信ウィンドウ「Ｕｄ  Ｒｘ」を考慮して、Ｕｄインタフェースを介したデータ信号の送信を行う必要があり、Ｕｄインタフェースにおける送信タイミング「Ｕｄ  Ｔｘ」は、Ｔ１/Ｔ２/ＴＸの全てに依存することになる。
【００５６】
なお、ケース１では、移動局ＵＥによってＵｄインタフェースを介して送信された信号が周辺の他の移動局ＵＥに（干渉として）届くタイミングは、Ｕｄインタフェースを介して送信した移動局ＵＥと周辺の他の移動局ＵＥとの間の距離に依存する。
【００５７】
したがって、移動局ＵＥによってＵｄインタフェースを介して送信された信号が、周辺の他の移動局ＵＥのＵｕインタフェースにおける受信ウィンドウ「Ｕｕ  ＤＬ」に干渉しないように直交性を保つためには、これらの伝搬遅延も考慮して、所定ギャップとして十分なギャップを設ける必要がある。
【００５８】
＜ケース３＞
第３に、図５を参照して、Ｕｄインタフェースにおける送受信で用いられる周波数及びＵｕインタフェースにおける送受信で用いられる周波数と異なるケース３について説明する。
【００５９】
図５に示すように、ケース３では、周波数Ｆ１において、Ｕｕインタフェースにおける下りリンクの送受信が行われ、周波数Ｆ２において、Ｕｕインタフェースにおける上りリンクの送受信が行われ、周波数Ｆ３において、Ｕｄインタフェースにおける送受信が行われるように構成されている。
【００６０】
また、周波数Ｆ３では、Ｕｄインタフェースにおける送受信（ＵＥ＃１→ＵＥ＃２）及びＵｄインタフェースにおける送受信（ＵＥ＃２→ＵＥ＃１）が時分割で行われるように構成されている。
【００６１】
なお、ケース３では、移動局ＵＥ＃１及び移動局ＵＥ＃２は、周波数Ｆ３において、Ｕｄインタフェースを介した送信を行う場合とＵｄインタフェースを介した受信を行う場合とで、内部回路を切り替える必要があり、かかる内部回路の切り替えを行うための時間が必要となる。
【００６２】
したがって、移動局ＵＥ＃１（又は、移動局ＵＥ＃２）は、かかる切替時間を考慮して、移動局ＵＥ＃２（又は、移動局ＵＥ＃１）において、Ｕｄインタフェースを介して送信するデータ信号が受信ウィンドウ「Ｕｄ  Ｒｘ」内に収まるように、Ｕｄインタフェースを介したデータ信号の送信タイミング「Ｕｄ  Ｔｘ」を決める必要がある。
【００６３】
したがって、例えば、図５に示すように、移動局ＵＥ＃１から移動局ＵＥ＃２にデータ信号が送信される場合、周波数Ｆ３上で、移動局ＵＥ＃１がＵｄインタフェースを介して移動局ＵＥ＃２に対してデータ信号の送信が行われるサブフレーム＃２において、かかるデータ信号の送信が行われるタイミング「Ｕｄ  Ｔｘ」の前後に、所定ギャップＴ１ａ及びＴ１ｂが設けられるように構成されている。
【００６４】
同様に、移動局ＵＥ＃２から移動局ＵＥ＃１にデータ信号が送信される場合、周波数Ｆ３上で、移動局ＵＥ＃２がＵｄインタフェースを介して移動局ＵＥ＃１に対してデータ信号の送信が行われるサブフレーム＃４において、かかるデータ信号の送信が行われるタイミング「Ｕｄ  Ｔｘ」の前後に、所定ギャップＴ２ａ及びＴ２ｂが設けられるように構成されている。
【００６５】
なお、かかる所定ギャップの１つ又は複数は、図５に示すＴ１ａ/Ｔ２ｂのように「０」であってもよい。
【００６６】
また、ＵｕインタフェースでＰＤＣＣＨを介してＵｄインタフェースにおける割り当て通知を受信する関係上、ＵｕインタフェースとＵｄインタフェースとのタイミング関係、例えば、「Ｕｕ  ＤＬ」と「Ｕｄ  Ｔｘ」とのタイミング差を示すＴ１ｃ/Ｔ２ｃを決める必要がある。
【００６７】
また、Ｕｄインタフェースで用いられる周波数は、他の移動局ＵＥ間のＵｄインタフェースに用いられてもよい。
【００６８】
したがって、Ｕｄインタフェースを介して送信される信号間の直交性を維持するためには、Ｔ１ｃ/Ｔ２ｃ等を適切に調整する必要がある。
【００６９】
移動局ＵＥ＃１から移動局ＵＥ＃２への送信及び移動局ＵＥ＃１から移動局ＵＥ＃２への送信において異なる周波数を用いる場合は、上述の切替時間は不要となるものの、Ｕｄインタフェースを介して送信される信号間の直交性維持等を実現するために、Ｔ１ｃ/Ｔ２ｃ等を適切に調整する必要がある。
【００７０】
なお、上述の例では、１サブフレームごとに、Ｕｕインタフェースを介した送受信やＵｄインタフェースを介した送受信が切り替わる場合を示したが、本発明は、複数のサブフレームに渡って「Ｕｄ  Ｔｘ」や「Ｕｄ  Ｒｘ」や「Ｕｕ  ＵＬ」や「Ｕｕ  ＤＬ」が連続する時分割パターンにも適用可能である。なお、かかる時分割パターンは、ダイナミックに変更になってもよい。
【００７１】
本発明の第１の実施形態に係る移動通信システムによれば、上述のように、Ｕｄインタフェースを介してデータ信号の送信が行われるサブフレームにおいて、かかるデータ信号の送信が行われるタイミング「Ｕｄ  Ｔｘ」の前後に、所定ギャップを設けることによって、移動局ＵＥ＃１と移動局ＵＥ＃２との間の直接通信において、干渉を抑圧することができる。
【００７２】
以上に述べた本実施形態の特徴は、以下のように表現されていてもよい。
【００７３】
本実施形態の第１の特徴は、移動局ＵＥ＃１（第１移動局）及び移動局ＵＥ＃２（第２移動局）と無線基地局ｅＮＢとの間のＵｕインタフェース（無線基地局インタフェース）と、移動局ＵＥ＃１と移動局ＵＥ＃２との間のＵｄインタフェース（移動局間インタフェース）とが規定されている移動通信システムであって、周波数Ｆ１（第１周波数）において、Ｕｕインタフェースを介した無線基地局ｅＮＢから移動局ＵＥ＃１及び移動局ＵＥ＃２へのデータ信号の送信が行われるように構成されており、周波数Ｆ２（第２周波数）において、Ｕｕインタフェースを介した移動局ＵＥ＃１及び移動局ＵＥ＃２から無線基地局ｅＮＢへのデータ信号の送信と、Ｕｄインタフェースを介した移動局ＵＥ＃１と移動局ＵＥ＃２との間のデータ信号の送受信が時分割で行われるように構成されており、Ｕｄインタフェースを介した移動局ＵＥ＃１及び移動局ＵＥ＃２によってデータ信号の送信が行われるタイミングの前後に所定ギャップが設けられるように構成されていることを要旨とする。
【００７４】
本実施形態の第２の特徴は、移動局ＵＥ＃１及び移動局ＵＥ＃２と無線基地局ｅＮＢとの間のＵｕインタフェースと、移動局ＵＥ＃１と移動局ＵＥ＃２との間のＵｄインタフェースとが規定されている移動通信システムであって、周波数Ｆ１において、Ｕｕインタフェースを介した無線基地局ｅＮＢから移動局ＵＥ＃１及び移動局ＵＥ＃２へのデータ信号の送信と、Ｕｄインタフェースを介した移動局ＵＥ＃１と移動局ＵＥ＃２との間のデータ信号の送受信が時分割で行われるように構成されており、周波数Ｆ２において、Ｕｕインタフェースを介した移動局ＵＥ＃１及び移動局ＵＥ＃２から無線基地局ｅＮＢへのデータ信号の送信が行われるように構成されており、Ｕｄインタフェースを介した移動局ＵＥ＃１及び移動局ＵＥ＃２によってデータ信号の送信が行われるタイミングの前後に所定ギャップが設けられるように構成されていることを要旨とする。
【００７５】
本実施形態の第３の特徴は、移動局ＵＥ＃１及び移動局ＵＥ＃２と無線基地局ｅＮＢとの間のＵｕインタフェースと、移動局ＵＥ＃１と移動局ＵＥ＃２との間のＵｄインタフェースとが規定されている移動通信システムであって、周波数Ｆ１において、Ｕｕインタフェースを介した無線基地局ｅＮＢから移動局ＵＥ＃１及び移動局ＵＥ＃２へのデータ信号の送信が行われるように構成されており、周波数Ｆ２において、Ｕｕインタフェースを介した移動局ＵＥ＃１及び移動局ＵＥ＃２から無線基地局ｅＮＢへのデータ信号の送信が行われるように構成されており、周波数Ｆ３（第３周波数）において、Ｕｄインタフェースを介した移動局ＵＥ＃１と移動局ＵＥ＃２との間のデータ信号の送受信が時分割で行われるように構成されており、Ｕｄインタフェースを介した移動局ＵＥ＃１及び移動局ＵＥ＃２によってデータ信号の送信が行われるタイミングの前後に所定ギャップが設けられるように構成されていることを要旨とする。
【００７６】
本実施形態の第１乃至第３の特徴において、所定ギャップの時間長、或いは、該所定ギャップを除いたサブフレームの時間長は、シンボル単位で規定されていてもよい。
【００７７】
本実施形態の第１乃至第３の特徴において、所定ギャップの時間長は、無線基地局ｅＮＢから移動局ＵＥ＃１及び移動局ＵＥ＃２に対して通知されてもよい。
【００７８】
なお、上述の無線基地局ｅＮＢや移動局ＵＥ＃１/ＵＥ＃２等の動作は、ハードウェアによって実施されてもよいし、プロセッサによって実行されるソフトウェアモジュールによって実施されてもよいし、両者の組み合わせによって実施されてもよい。
【００７９】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００８０】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ｅＮＢや移動局ＵＥ＃１/ＵＥ＃２等内に設けられていてもよい。また、かかる記憶媒体及びプロセッサは、ディスクリートコンポーネントとして無線基地局ｅＮＢや移動局ＵＥ＃１/ＵＥ＃２等内に設けられていてもよい。
【００８１】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００８２】
ＵＥ＃１、ＵＥ＃２…移動局
ｅＮＢ…無線基地局
１１…スケジューリング部
１２…送信部
１３…受信部
【図１】
0005363529.tif 000002
【図２】
0005363529.tif 000003
【図３】
0005363529.tif 000004
【図４】
0005363529.tif 000005
【図５】
0005363529.tif 000006
【図６】
0005363529.tif 000007
【図７】
0005363529.tif 000008